(57)【要約】【課題】電線の切断又は接続の作業時に、作業員の安全を確保しながら、この高圧線を保持する動作を容易にし、且つ電線の保持状態も作業員に危険なく行うことが可能な電線保持用装置を提供する。【解決手段】電線保持用装置１は、電線１０を挟持するための挟持片７、８を有する電線把持部２と、電柱に装柱された腕金等の棒状部材に取り付けられる取付部４と、電線把持部２と取付部４とを連結して電線把持部２の取付部４からの距離が変動するように伸縮する伸縮３部を有して構成され、各電線把持部２、伸縮部３、取付部４の動作は動力発生部１４から動力が供給されて、この動力を基に当該駆動手段が稼働することより行われると共に、駆動手段を制御する制御手段２２、２３、２４、２５を有し、この制御手段２２、２３、２４、２５に対する制御信号は、遠隔地から入力装置により入力することが可能とする。【選択図】図１
2009044936.tif 000002
【特許請求の範囲】
【請求項１】
電線に対し相対的に接近し又は離反するように変位することで、この電線の挟持と解放とが可能な電線把持部と、電柱に装柱された柱状の部材に取り付けることが可能な取付部と、この取付部と前記電線把持部との双方に連結して、前記電線把持部の前記取付部からの距離を可変するように伸縮する伸縮部とにより構成され、
前記伸縮部の伸縮を行わせるための伸縮部伸縮用駆動手段と、この伸縮部伸縮用駆動手段に対し動力を供給する動力源とを有すると共に、前記伸縮用駆動手段を制御するための制御装置を備え、この制御装置に対し制御信号を相対的に離れた位置から入力装置で入力することを可能としたことを特徴とする電線保持用装置。
【請求項２】
前記挟持片の電線に対して相対的な接近と離反とを行わせるための電線挟持用駆動手段と、この電線挟持用駆動手段に対し動力を供給する動力源とを有すると共に、前記電線挟持用駆動手段を制御するための制御装置を備え、
この制御装置に対し制御信号を相対的に離れた位置から入力装置で入力することを可能としたことを特徴とする請求項１に記載の電線保持用装置。
【請求項３】
前記電線把持部と前記伸縮部とが自在継手を介して連結されていると共に、この電線把持部を前記伸縮部に対しその軸方向に沿って延びる線から離れる方向とその軸方向に沿って延びる線に接近する方向とに揺動させるための電線把持部揺動用駆動手段と、この電線把持部揺動用駆動手段に対し動力を供給する動力源とを有すると共に、前記電線把持部揺動用駆動手段を制御するための制御装置を備え、
この制御装置に対し制御信号を相対的に離れた位置から入力装置で入力することを可能としたことを特徴とする請求項１又は請求項２に記載の電線保持用装置。
【請求項４】
前記伸縮部について前記取付部に対して伸縮することなく回転させるための伸縮部回転用駆動手段と、この伸縮部回転用駆動手段に対し動力を供給する動力源とを有すると共に、前記伸縮部回転用駆動手段を制御するための制御装置を備え、
この制御装置に対し制御信号を相対的に離れた位置から入力装置で入力することを可能としたことを特徴とする請求項１、請求項２又は請求項３に記載の電線保持用装置。
【請求項５】
前記電線把持部、前記取付部のいずれか一方又は双方に照明装置が取り付けられていることを特徴とする請求項１、請求項２、請求項３又は請求項４のいずれかに記載の電線保持用装置。
【発明の詳細な説明】
【技術分野】
【０００１】
この発明は、例えば電柱の腕金等の電柱に装柱された柱状の部材に取り付けられて、少なくとも高圧線に対する諸作業時にこの高圧線を保持するための装置の構造に関する。
【背景技術】
【０００２】
電線の高圧線は、例えば特許文献１等に示されるように、電柱に対しトランス等の電気設備が装着された腕金よりも上方を通過するように架設され、そして、電柱への高圧線の支持はピン碍子により行われている。
【０００３】
一方、高圧線を切断する作業時においては、張設された状態の高圧線が跳ね上がることが懸念される。また、高圧線の接続には、例えば特許文献２等に示されるように、連結スリーブの取付部の筒内に高圧線の端末を挿入する作業が行われる。
【０００４】
このため、高圧線を切断し、又は高圧線を接続する際には、高圧線の跳ね上がりや連結スリーブからの脱落等を起因として、高圧線が電柱に装柱された電気設備と接触し、災害、停電、地絡等の事故が生ずるのを防止するため、少なくともその作業内において高圧線を保持する必要がある。この高圧線の保持は、作業員が電柱の柱上に登って例えば特許文献３等に示す間接活線把持工具を利用して把持することで行っていた。
【特許文献１】特開平９−３０８０６２号公報
【特許文献２】特開平６−２９２３０９号公報
【特許文献３】特開平１１−２０５９２９号公報
【発明の開示】
【発明が解決しようとする課題】
【０００５】
しかしながら、各種機器の装柱状態等、電柱の周辺環境によっては、高圧線の切断又は接続の作業中、作業者が電柱の柱上に登り間接活線把持工具を利用して高圧線を保持すること自体が困難な場合があり、また、間接活線把持具による高圧線の保持が可能であるとしても、高圧線を長時間にわたって保持し続けることにより、作業者に対し大きな負担をかけるという不具合を有する。
【０００６】
また、高圧線の切断作業又は接続作業において、高圧線を切断し又は接続する位置がピン碍子で支持された位置から相対的に離れている場合には、高圧線は相対的に不安定な状態にあるので、かかる作業中に不測の事態が生じて高圧線を保持し続ける作業者に対し感電等の危険が生ずる可能性は常にある。
【０００７】
そこで、この発明は、電線の切断又は接続の作業時に、作業員の安全を確保しながら、この高圧線を保持する動作を容易にし、且つ電線の保持状態も作業員に危険なく行うことが可能な電線保持用装置を提供することを目的とする。
【課題を解決するための手段】
【０００８】
この発明に係る電線保持用装置は、電線に対し相対的に接近し又は離反するように変位することで、この電線の挟持と解放とが可能な電線把持部と、電柱に装柱された柱状の部材に取り付けることが可能な取付部と、この取付部と前記電線把持部との双方に連結して、前記電線把持部の前記取付部からの距離を可変するように伸縮する伸縮部とにより構成され、前記伸縮部の伸縮を行わせるための伸縮部伸縮用駆動手段と、この伸縮部伸縮用駆動手段に対し動力を供給する動力源とを有すると共に、前記伸縮用駆動手段を制御するための制御装置を備え、この制御装置に対し制御信号を相対的に離れた位置から入力装置で入力することを可能としたことを特徴としている（請求項１）。ここで、電線は例えば高圧線である。また、電柱に装柱された柱状の部材とは、例えば開閉器、トランス等の電気設備が取り付けられて電柱に対しその径方向に沿って延びるように装柱された腕金である。挟持片の数は例えば２つである。これは以下の記載においても同様である。これにより、電線保持用装置の伸縮部について、電線に接近させるため又は電線から離反するための操作をこの電線保持用装置から離れた位置で行うことができる。
【０００９】
そして、この発明に係る電線保持用装置は、前記挟持片の電線に対して相対的な接近と離反とを行わせるための電線挟持用駆動手段と、この電線挟持用駆動手段に対し動力を供給する動力源とを有すると共に、前記電線挟持用駆動手段を制御するための制御装置を備え、この制御装置に対し制御信号を相対的に離れた位置から入力装置で入力することを可能としたことを特徴とする（請求項２）。これにより、電線保持用装置の電線把持部について、電線を挟持するため又は電線を解放するための操作をこの電線保持用装置から離れた位置で行うことができる。
【００１０】
また、この発明に係る電線保持用装置は、前記電線把持部と前記伸縮部とが自在継手を介して連結されていると共に、この電線把持部を前記伸縮部に対しその軸方向に沿って延びる線から離れる方向とその軸方向に沿って延びる線に接近する方向とに揺動させるための電線把持部揺動用駆動手段と、この電線把持部揺動用駆動手段に対し動力を供給する動力源とを有すると共に、前記電線把持部揺動用駆動手段を制御するための制御装置を備え、この制御装置に対し制御信号を相対的に離れた位置から入力装置で入力することを可能としたことを特徴とする（請求項３）。これにより、電線保持用装置の電線把持部について、挟持片の開閉部位が電線側に向くように動かす操作をこの電線保持用装置から離れた位置で行うことができる。
【００１１】
更に、この発明に係る電線保持用装置は、前記伸縮部について前記取付部に対して伸縮することなく回転させるための伸縮部回転用駆動手段と、この伸縮部回転用駆動手段に対し動力を供給する動力源とを有すると共に、前記伸縮部回転用駆動手段を制御するための制御装置を備え、この制御装置に対し制御信号を相対的に離れた位置から入力装置で入力することを可能としたことを特徴とする（請求項４）。これにより、電線保持用装置の伸縮部について、挟持片の開閉部位が電線側に向くように回転させる操作をこの電線保持用装置から離れた位置で行うことができる。
【００１２】
一方で、この発明に係る電線保持用装置は、前記電線把持部、前記取付部のいずれか一方又は双方に照明装置が取り付けられている（請求項５）。照明装置は、例えば発光ダイオード（ＬＥＤ）である。また、照明装置に対する電気の供給は、例えば各駆動手段に対し動力を供給する動力源から供給される。これにより、夜間等の相対的に暗い環境下であっても、照明装置により電線保持用装置の電線把持部や取付部が照らされ、しかも挟持片の場所等を照明装置の点灯位置で確認することができるので、安全、確実に電線の切断又は接続のための作業を行うことが可能となる。
【発明の効果】
【００１３】
以上のように、本件の発明によれば、電線を保持するため又は電線への保持を解除するにあたり、挟持片を電線に対し接近し又は離反する動作、電線把持部が電線に接近し又は離反するように伸縮部を伸縮させる動作、挟持片の開閉部位が電線側に向くように電線把持部を揺動する動作、並びに、挟持片の開閉部位が電線側に向くように伸縮部を回転させる動作について、遠隔操作によって行うことができるので、作業の安全性を向上させることが可能である。また、電線の保持作業時間の短縮化による電線の切断又は接続作業全体の作業効率の向上も図ることができる。しかも、電線の保持及び電線に対する保持からの解除作業に作業の経験の多さを必要としないので、熟練した作業員でなくても安全に電線の保持又は電線の保持の解除を行うことが可能である。
【００１４】
そして、本件の発明によれば、取付部を腕金等の電柱に装柱された柱状部材に対し自在に取り付けることができるので、電線を保持する間において、作業員が間接活線把持用工具を持っている必要がないので、作業員に対する負担も小さくなる。
【００１５】
特に、請求項５に記載の発明によれば、夜間等の相対的に暗い環境下であっても、照明装置により電線保持用装置の電線把持部や取付部が照らされ、しかも挟持片の場所等を照明装置の点灯位置で確認することができるので、安全、確実に電線の切断又は接続のための作業を行うことが可能となる。
【発明を実施するための最良の形態】
【００１６】
以下、この発明の実施形態について図面により説明する。
【００１７】
図１及び図２において、この発明に係る電線保持用装置１の実施形態の一例が示されている。この電線保持用装置１は、電線把持部２と、伸縮部３と、取付部４とで基本的に構成されているもので、これらの電線把持部２、伸縮部３、取付部４は、軽量且つ必要な強度を有する一方で、長期間（例えば３ヶ月）にわたって屋外に放置しても風雨等によって劣化しない素材で形成されている。
【００１８】
電線把持部２は、この実施形態では、ロッド体５の頂部に設けられた軸部６に２つの挟持片７、８が取り付けられて構成されている。このうち、挟持片７、８は軸部６を軸心として図１の矢印Ａの方向に示されるように相互に接近し又は離反するように可動することが可能であり、挟持片７の端部と挟持片８の端部とが突当した際には、この挟持片７、８で囲まれた略円形状の保持空間Ｓが画成され、この保持空間Ｓの直径は高圧線１０の直径と同じか若干小さくなっている。これにより、挟持片７の端部と挟持片８の端部とを突当させることで高圧線１０を挟持することが可能であり、挟持片７の端部と挟持片８の端部とを離すことで高圧線１０の挟持が解除される。もっとも、後述する図３の実施形態のように、挟持片７、８の一方を可動部とし、他方を不動部とした構成にして、可動部側の挟持片７、８のみが軸部６を軸心として可動することで、高圧線１０を挟持片７、８で挟持するようにしても良い。
【００１９】
また、軸部６には図示しないがアクチュエータ等の駆動部が収納されており、この駆動部を駆動させることで、挟持片７、８に対し上記したように相互に接近し又は離反する動作を自動的に行わせることが可能である。この駆動部への動力の供給は、例えば下記する動力発生部１４により行われ、又は図示しないが独自に備えた動力発生部により行われる。そして、駆動部への動力の供給に対するＯＮ／ＯＦＦの制御は制御装置２２により行われる。更に、ロッド体５の下方端側には、後述する自在継手１６の一部を構成する継手構成部材９が設けられている。
【００２０】
伸縮部３は、この実施形態では、回転軸棒部１１と、内側回転伝達部１２と、外側回転伝達部１３と、モータ等の動力発生部１４と、これらの回転軸棒部１１の一部、内側回転伝達部１２、外側回転伝達部１３、及び動力発生部１４を収納するホルダー部１５とで構成されている。
【００２１】
このうち、回転軸棒部１１は、周面にネジ溝が形成された略円柱状のもので、電線把持部２側には自在継手１６の一部を構成する継手構成部材１７が設けられている。これにより、継手構成部材９と継手構成部材１７とを組み合わせて自在継手１６を形成した場合には、電線把持部２は、ロッド体５の軸方向に沿った軸線と回転軸棒部１１の軸方向に沿った軸線とを採った場合に、ロッド体５の軸方向に沿った軸線が回転軸棒部１１の軸方向に沿った軸線に対しその全方位において離れる方向に傾倒し、且つこの離れた状態から回転軸棒部１１の軸方向に沿った軸線に戻るように動くこともできる。
【００２２】
更に、この自在継手１６には、図示しないがアクチュエータ等の駆動部が収納されており、この駆動部を駆動させることにより上記回転軸棒部１１の揺動を自動的に行うことを可能としている。この駆動部への動力の供給は、例えば下記する動力発生部１４により行われ、又は図示しないが独自に備えた動力発生部により行われる。そして、この駆動部への動力の供給に対するＯＮ／ＯＦＦの制御は制御装置２３により行われる。
【００２３】
内側回転伝達部１２は、この実施形態では、電線把持部２側が開口し、取付部４側が閉塞された有底の筒状体形状を成しているもので、その孔の内側面はネジ溝が形成されて、回転軸棒部１１と螺合させることが可能となっている。そして、内側回転伝達部１２の底部は動力発生部１４と軸部４５を介して連結されていると共に、動力発生部１４から軸部４５を介して内側回転伝達部１２への動力の供給に対するＯＮ／ＯＦＦの制御は制御装置２４により行われる。これにより、動力発生部１４から動力が供給されて内側回転伝達部１２が回転した場合には、この内側回転伝達部１２に螺合された回転軸棒部１１はその軸方向に沿って動くので、伸縮部３の全体的な寸法として伸縮させることができる。
【００２４】
外側回転伝達部１３も、この実施形態では、電線把持部２側が開口し、取付部４側が閉塞された有底の筒状体形状を成しているもので、その孔の内径寸法は内側回転伝達部１２の外径寸法と略同じになっている一方で、電気的又は機械的に外側回転伝達部１３の内側面が内側回転伝達部１２の外側面と圧接したり離れたりすることが可能となっている。そして、外側回転伝達部１３の底部は動力発生部１４と軸部４６を介して連結されていると共に、動力発生部１４から軸部４６を介して外側回転伝達部１３への動力の供給に対するＯＮ／ＯＦＦの制御は制御装置２５により行われる。これにより、動力発生部１４から動力が供給されて外側回転伝達部１３が回転した場合には、内側回転伝達部１２及び回転軸棒部１１は一体的に回転するので、伸縮部３を伸縮することなく回転軸棒部１１、ひいてはこれと連結された電線把持部２を回転させることができる。
【００２５】
取付部４は、図示しない電柱に対しその径方向に沿って延びるように装柱された腕金等の柱状の部材に取り付けるためのもので、この実施形態では、台座本体１８ａ、脚部１８ｂ、１８ｃから成り下方に開口した逆Ｕ字状の台座１８と、この台座１８に装着されて柱状部材を左右方向から挟持固定するための挟持固定機構１９とで構成されている。台座１８の脚部１８ｂ、１８ｃ間の幅は、例えば腕金に取り付け可能なように例えば８０ｍｍの寸法が採られている。
【００２６】
挟持固定機構１９は、２つの押圧部１９ａが対峙して配置されていると共に、これら押圧部１９ａは脚部１８ｂ、１８ｃの螺子孔に挿通された螺子棒体１９ｂと連結され、更に螺子棒体１９ｂの押圧部１９ａとは反対側にはハンドル１９ｃが設けられている。これにより、ハンドル１９ｃを間接活線把持用工具等で掴んで回すことにより、腕金等の柱状部材に対する押圧部１９ａの締め付けとその解除とを行うことが可能である。もっとも、挟持固定機構は、１つの押圧部１９、螺子棒体１９ｂ、及びハンドル１９ｃから構成されて、ハンドル１９ｃを回すことにより、押圧部１９ａと脚部１８ｂ又は１８ｃの内側面とで腕金等の柱状部材に対する締め付けとその解除とを行うものとしても良い。
【００２７】
そして、この実施形態では、電線把持部２の挟持片７、８の先端側近傍部位、及び台座１８の台座本体１８ａに発光ダイオード（ＬＥＤ）等の照明装置２０が取り付けられている。この照明装置２０に対する電気の供給は、例えば動力発生部１４から行われる。
【００２８】
更に、この電線保持用装置１に対する制御は、図２に示されるリモコン等とも称される入力装置２６から発せられた制御信号が電線保持用装置１の図示しない受信部で受信されて、図示しない演算処理装置に伝達された後、更に、各制御装置２２乃至２５に伝達されるものとなっている。
【００２９】
すなわち、伸縮部伸長用入力釦２７を押圧すると、制御装置２４に制御信号が伝達されて内側回転伝達部１２が例えば右回りに回転し、回転軸棒部１１がホルダー部１５から伸長するように動作する。伸縮部短縮用入力釦２８を押圧すると、制御装置２４に制御信号が伝達されて内側回転伝達部１２が例えば左回りに回転し、回転軸棒部１１がホルダー部１５に収納されるように動作する。伸縮部左回転用入力釦２９を押圧すると、制御装置２５に制御信号が伝達されて外側回転伝達部１３が例えば左回りに回転し、回転軸棒部１１及び電線把持部２が回転軸棒部１１を伸縮させることなく左回りに回転する。伸縮部右回転用入力釦３０を押圧すると、制御装置２５に制御信号が伝達されて外側回転伝達部１３が例えば右回りに回転し、回転軸棒部１１及び電線把持部２が回転軸棒部１１を伸縮させることなく右回りに回転する。電線把持用釦３１を押圧すると、制御装置２２に制御信号が伝達されて、挟持片７、８が相対的に接近するように軸部６が回転し、高圧線１０が挟持される。電線把持解除釦３２を押圧すると、制御装置２２に制御信号が伝達されて、挟持片７、８が相対的に離反するように軸部６が回転し、高圧線１０に対する挟持が解除される。そして、タッチ部３３を押圧すると、制御装置２３に制御信号が伝達されて、電線把持部２がタッチ部３３で押圧された位置に応じて揺動する。
【００３０】
以上の構成に基づき、この電線保持用装置１を用いて高圧線１０を保持する手順及び高圧線１０の保持を解除する手順について下記に説明する。
【００３１】
電柱に対しその径方向に沿って延びる腕金等の棒状部材のうち切断する又は接続する高圧線１０に対し、かかる高圧線１０を保持する位置の下方となる部位に、所定の間接活線用工具を利用して電線保持用装置１の取付部４を係合させ、次にハンドル１９ｃ、１９ｃを、間接活線用工具を利用して回すことにより押圧部１９ａ、１９ａで棒状部材を挟持し、取付部４を棒状部材に締結固定させる。
【００３２】
次に、入力装置２６の伸縮部伸長用入力釦２７と伸縮部短縮用入力釦２８とを適宜に押圧して、伸縮部３の寸法を微調整し、電線把持部２を高圧線１０の近傍に接近させる。さらに、入力装置２６の伸縮部左回転用入力釦２９及び伸縮部右回転用入力釦３０を適宜に押圧すると共にタッチ部３３を押圧することにより、高圧線１０が図１に示されるように、挟持片７、８の間の保持空間Ｓとなる部位に位置するように操作する。最後に、電線把持用釦３１を押圧して、挟持片７、８で高圧線１０を挟持して高圧線１０の保持作業が完了する。
【００３３】
一方、高圧線１０の保持の解除は、例えば、入力装置２６の電線把持解除釦３２を押圧して挟持片７、８を開いた後、タッチ部３３を押圧することにより電線把持部２を揺動させて高圧線１０が保持空間Ｓから外れた状態とし、入力装置２６の伸縮部短縮用入力釦２８を押圧して伸縮部３ｂの寸法を短縮し電線把持部２を取付部４側に接近させることで行われる。
【００３４】
もっとも、電線保持用装置１の構造は、必ずしも上記した構造に限定されず、例えば電線把持部２の挟持片７、８による高圧線１０の保持動作自体は駆動部を利用しないで行われるようにしても良い。この構成の電線保持用装置１について図３及び図４に基づいて説明する。但し、電線把持部２以外の構成については先の図１に示す実施形態と同様であるので、先の実施形態と同様の構成については同一の符号を付してその説明を省略した。
【００３５】
この電線保持用装置１の電線把持部２は、挟持片７が不動部、挟持片８が可動部として構成されている。そして、挟持片７、８は、挟持片７側に形成された接触突部３５と挟持片８に形成された接触窪部３６との嵌合及び弾性部材３７による固定によって、挟持片７、８の先端が略Ｖ字状に開くように連結されている。弾性部材３７は、例えば針金状のバネであって、図１及び図２に示されるように、その端部が挟持片７又は挟持片８に固定され、且つその中央部位は挟持片７に形成された通孔（図示せず）に挿通されたものとなっている。
【００３６】
高圧線１０が収納される保持空間Ｓは、挟持片７、８の対峙する略半円状の窪みにより画成されており、この保持空間Ｓの内径寸法も高圧線１０の外径寸法と同じか若干小さくなっている。
【００３７】
そして、挟持片７、８の先端側には、爪４２が形成されたカム３８、３９が回転軸４０、４１により回転可能に取り付けられており、このカム３８、３９は、図示しないが公知のラチェット機構等の駆動部により、通常時には図３の矢印Ｂの方向にのみ回転可能となっている。そして、このカム３８、３９の回転規制のＯＮ／ＯＦＦは、制御装置４３により制御されるようになっており、制御装置４３への動力の供給は、例えば動力発生部１４により行われる。そして、入力装置２６は、例えば、図２に示される電線把持用釦３１の位置において、代わりにカム回転規制釦が配置され、図２に示される電線把持解除釦３２の位置において、代わりにカム回転規制解除釦が配置されたものとなっている。これにより、かかるカム回転規制釦、カム回転規制解除釦を押圧すれば、入力装置２６から発せられた制御信号が電線保持用装置１の図示しない受信部で受信されて、図示しない演算処理装置に伝達された後、更に、制御装置４３に伝達されるものとなっている。
【００３８】
また、電線把持部２は、図４（ａ）に示されるように、挟持片７、８の先端が高圧線１０と接した状態から矢Ｃの方向に動かした場合に、図４（ｂ）に示されるように、カム３８、３８は高圧線１０との摩擦力により規制されていない矢印Ｂの回転方向に回転すると共に、挟持片８が弾性部材３７の付勢力に抗して可動し、挟持片７と挟持片８との関係がＶ字形に開くように変位する。さらに、電線把持部２は、図４（ｂ）の矢印Ｄの方向に動かした場合には、図４（ｃ）に示されるように、高圧線１０は、保持空間Ｓ内に納まり、挟持片７、８で挟持されると共に、カム３８が駆動部により先述したように矢印Ｂの方向にのみ回転規制されていれば、カム３８の爪４２により押さえられた状態となるので、高圧線１０は電線把持部２にて保持された状態となる。一方、駆動部を制御してカム３８の回転規制を解除し、電線把持部２を図４（ｃ）の矢印Ｄ及び図４（ａ）の矢印Ｃとは反対側に動かすことで、カム３８が矢印Ｂとは反対方向に回転して、高圧線１０は電線把持部２の挟持片７、８間の保持空間Ｓから外れる。
【００３９】
以上の構成に基づき、この電線保持用装置１を用いて高圧線１０を保持する手順及び高圧線１０の保持を解除する手順について下記に説明する。
【００４０】
まず、先の実施形態と同様に、電柱に対しその径方向に沿って延びる腕金等の棒状部材のうち切断する又は接続する高圧線１０に対し、かかる高圧線１０を保持する位置の下方となる部位に、所定の間接活線用工具を利用して電線保持用装置１の取付部４を係合させ、次にハンドル１９ｃ、１９ｃを、間接活線用工具を利用して回すことにより押圧部１９ａ、１９ａで棒状部材を挟持し、取付部４を棒状部材に締結固定させる。
【００４１】
次に、入力装置２６の伸縮部伸長用入力釦２７と伸縮部短縮用入力釦２８とを適宜に押圧して、伸縮部３の寸法を微調整し、電線把持部２を高圧線１０の近傍に接近させる。さらに、カム回転規制釦を押圧してカム３８が図３の矢印Ｂの方向のみに回転するように規制しておく。そして、入力装置２６の伸縮部左回転用入力釦２９及び伸縮部右回転用入力釦３０を適宜に押圧し、電線把持部２の挟持片７、８の開いた側が高圧線１０を向くようにする。最後に、タッチ部３３を押圧することにより、電線把持部２が図４（ａ）の矢印Ｃ及び図４（ｂ）の矢印Ｄの方向に沿って動くように、かかる電線把持部２を揺動させる。これにより、挟持片７、８で高圧線１０が挟持され、且つカム３８の爪４２により高圧線１０の脱落が防止されるので、高圧線１０の保持作業が完了する。
【００４２】
一方、高圧線１０の電線把持部２による保持状態の解除は、カム回転規制解除釦を押圧して、カム３８、３８が矢印Ｂの方向及び矢印Ｂとは反対の方向のいずれにも回転することができる状態にした後、タッチ部３３を押圧することにより、電線把持部２が図４（ａ）の矢印Ｃ及び図４（ｂ）の矢印ＣＤは反対方向に沿って動くように、かかる電線把持部２を揺動させれば良い。
【００４３】
以上のように、この発明の２つの実施形態によれば、電線保持用装置１は、電柱に装柱された腕金等の棒状部材に対し自由な位置に、間接活線工法により取り付けることが可能であると共に、高圧線１０への電線把持部２による保持作業も入力装置２６により遠隔操作ですることができるので、作業員に対する安全性、作業能率性が向上する。
【図面の簡単な説明】
【００４４】
【図１】図１は、この発明に係る電線保持用装置の実施形態の一例を示す説明図であり、図１（ａ）は、同上の電線保持用装置の全体構成を示した概略図で、図１（ｂ）は同上の電線保持用装置の伸縮部の構成を示した断面図である。
【図２】図２は、同上の電線保持用装置の制御に用いる入力装置の構成の一例を示した説明図である。
【図３】図３は、同上の電線保持用装置の実施形態のうち、電線把持部についての他の例を示す説明図であり、当該電線保持用装置の全体構成を示した概略図である。
【図４】図４（ａ）から図４（ｂ）は、図３に示す電線保持用装置の電線把持部により電線を挟持する過程を示した説明図である。
【符号の説明】
【００４５】
１  電線保持用装置
２  電線把持部
３  伸縮部
４  取付部
５  ロッド体
６  軸部
７  挟持片
８  挟持片
９  継手構成部材
１０  高圧線（電線）
１１  回転軸棒部
１２  内側回転伝達部
１３  外側回転伝達部
１４  動力発生部
１５  ホルダー部
１６  自在継手
１７  継手構成部材
２０  照明装置
２２  制御装置
２３  制御装置
２４  制御装置
２５  制御装置
２６  入力装置
２７  伸縮部伸長用入力釦
２８  伸縮部短縮用入力釦
２９  伸縮部左回転用入力釦
３０  伸縮部右回転用入力釦
３１  電線把持用釦
３２  電線把持解除釦
３３  タッチ部
３５  接触突部
３６  接触窪部
３７  弾性部材
３８  カム
３９  カム
４０  回転軸
４１  回転軸
４２  爪
４３  制御装置
【図１】
2009044936.tif 000003
【図２】
2009044936.tif 000004
【図３】
2009044936.tif 000005
【図４】
2009044936.tif 000006